(57)【特許請求の範囲】
【請求項１】
撮影画像を取得するカメラと、前記撮影画像を表示する画像表示装置とから構成されたカメラシステムにおいて、
前記画像表示装置は、
前記撮影画像を表示したときに、前記撮影画像を鑑賞する人物の像を第１画像として取得する第１撮像部と、
前記第１画像に含まれる人物の特徴量と、前記撮影画像に含まれる人物の特徴量とを取得する第１取得部と、
前記第１画像に含まれる人物の特徴量と、前記撮影画像に含まれる人物の特徴量とから、前記カメラの使用者を特定する使用者特定部と、
前記使用者特定部により特定された前記使用者の特徴量を、前記カメラに送信する送信部と
を備え、
前記カメラは、
前記画像表示装置の前記送信部から送信された前記使用者の特徴量を受信する受信部と、
前記カメラの使用を許可するか否かの判定に用いる第２画像と、前記撮影画像とを取得する第２撮像部と、
前記第２画像に含まれる人物の特徴量を取得する第２取得部と、
前記第２取得部により取得された人物の特徴量と、前記使用者の特徴量とから、前記カメラの使用を許可するか否かを判定する使用許可判定部と
を備えることを特徴とするカメラシステム。
【請求項２】
請求項１に記載のカメラシステムにおいて、
前記画像表示装置は、前記撮影画像を複数記憶する画像記憶部を備え、
前記使用者特定部は、前記第１画像に含まれる人物で、且つ前記画像記憶部に記憶された前記撮影画像に含まれる人物のうち、前記撮影画像に含まれる頻度が最も低い人物を前記カメラの使用者であると特定することを特徴とするカメラシステム。
【請求項３】
請求項１に記載のカメラシステムにおいて、
前記画像表示装置は、前記撮影画像を複数記憶する画像記憶部を備え、
前記使用者特定部は、前記第１画像に含まれる人物で、且つ前記画像記憶部に記憶された前記撮影画像に含まれる人物のうち、前記撮影画像に含まれる頻度が第１閾値以上となる人物を前記カメラの使用者であると特定することを特徴とするカメラシステム。
【請求項４】
請求項１から請求項３のいずれか１項に記載のカメラシステムにおいて、
前記第１画像に含まれる人物の特徴量と、前記人物が含まれる第１画像が前記第１撮像部により取得された時間とを関連付けて記憶する情報記憶部を備え、
前記使用者特定部は、前記情報記憶部に記憶された特徴量を有する人物のうち、前記第１撮像部により取得された時間が第２閾値以上となる人物を前記カメラの使用者の候補とした後、前記カメラの使用者の候補となる人物の特徴量と、前記撮影画像に含まれる人物の特徴量とから、前記カメラの使用者を特定することを特徴とするカメラシステム。
【請求項５】
請求項１から請求項４のいずれか１項に記載のカメラシステムにおいて、
前記カメラは、前記カメラの電源のオンオフを制御する電源制御部を備え、
前記電源制御部は、前記使用許可判定部により前記カメラの使用を許可すると判定された場合に、前記カメラの電源をオフにすることを特徴とするカメラシステム。
【請求項６】
請求項１から請求項４いずれか１項に記載のカメラシステムにおいて、
前記使用許可判定部は、前記カメラの使用を許可すると判定した場合に、前記第２撮像部による前記撮影画像の取得を禁止することを特徴とするカメラシステム。
【請求項７】
請求項１から請求項６のいずれか１項に記載のカメラシステムにおいて、
前記第１撮像部は、所定時間間隔で前記第１画像を取得することを特徴とするカメラシステム。
【請求項８】
請求項１に記載のカメラシステムにおいて、
前記使用者特定部は、前記第１画像に含まれる人物が前記撮影画像に含まれる頻度に応じて、前記カメラに設けられる複数の機能のうち使用可能となる機能の使用許容レベルと、前記第１画像に含まれる人物の特徴量との関係を設定し、
前記使用許可判定部は、前記第２取得部により取得された人物の特徴量と、前記受信部により受信された前記使用者の特徴量とから、前記カメラの使用を許可すると判定した場合に、前記使用者特定部により設定された前記使用許容レベルと前記第１画像に含まれる人物との関係を用いて、前記第２取得部により取得された人物の特徴量に基づいた前記使用許容レベルを設定することを特徴とするカメラシステム。
【請求項９】
撮影画像を取得するカメラが接続される画像表示装置であって、
前記撮影画像を表示したときに、前記撮影画像を鑑賞する人物の像を前記カメラの使用者と特定するための特定用画像として取得する撮像部と、
前記特定用画像に含まれる人物の特徴量と、前記撮影画像に含まれる人物の特徴量とを取得する取得部と、
前記特定用画像に含まれる人物の特徴量と、前記撮影画像に含まれる人物の特徴量とから、前記カメラの使用者を特定する使用者特定部と、
前記使用者特定部により特定された前記使用者の特徴量を、前記カメラに送信する送信部と
を備えることを特徴とする画像表示装置。
【請求項１０】
撮影画像を表示することが可能な画像表示装置に接続されるカメラであって、
前記画像表示装置から送信された使用者の特徴量を受信する受信部と、
前記カメラの使用を許可するか否かの判定に用いる判定用画像と、前記撮影画像とを取得する撮像部と、
前記判定用画像に含まれる人物の特徴量を取得する取得部と、
前記取得部により取得された人物の特徴量と、前記受信部により受信された前記使用者の特徴量とから、前記カメラの使用を許可するか否かを判定する使用許可判定部とを備える
ことを特徴とするカメラ。
【発明の詳細な説明】
【技術分野】
【０００１】
本発明は、カメラシステム、カメラ及び画像表示装置に関する。
【背景技術】
【０００２】
従来から、カメラの使用者を特定の使用者に限定するためのセキュリティ機能を備えたカメラが知られている。このようなカメラにおいては、例えば、予め登録した使用者の顔情報を用いて、使用者の顔を認証することで、カメラの使用を許可することが提案されている（特許文献１参照）。
【先行技術文献】
【特許文献】
【０００３】
【特許文献１】特開２００５−６３０７７号公報
【発明の概要】
【発明が解決しようとする課題】
【０００４】
ところが、特許文献１の技術では、自分自身の顔にカメラを向けて、原本となる画像を取得する必要があるため、適切な画像を取得することが難しかった。また、適切な画像を取得することができなかったとき、撮影条件を設定し直し、再度撮影する操作が煩雑であるという問題点があった。
【０００５】
そこで、本発明のカメラシステム、カメラ及び画像表示装置は、煩雑な操作なく、カメラの使用者を登録することを目的とする。
【課題を解決するための手段】
【０００６】
本発明のカメラシステムは、撮影画像を取得するカメラと、前記撮影画像を表示する画像表示装置とから構成されたカメラシステムにおいて、前記画像表示装置は、前記撮影画像を表示したときに、前記撮影画像を鑑賞する人物の像を第１画像として取得する第１撮像部と、前記第１画像に含まれる人物の特徴量と、前記撮影画像に含まれる人物の特徴量とを取得する第１取得部と、前記第１画像に含まれる人物の特徴量と、前記撮影画像に含まれる人物の特徴量とから、前記カメラの使用者を特定する使用者特定部と、前記使用者特定部により特定された前記使用者の特徴量を、前記カメラに送信する送信部とを備え、前記カメラは、前記画像表示装置の前記送信部から送信された前記使用者の特徴量を受信する受信部と、前記カメラの使用を許可するか否かの判定に用いる第２画像と、前記撮影画像とを取得する第２撮像部と、前記第２画像に含まれる人物の特徴量を取得する第２取得部と、前記第２取得部により取得された人物の特徴量と、前記使用者の特徴量とから、前記カメラの使用を許可するか否かを判定する使用許可判定部とを備える。
【０００７】
また、前記画像表示装置は、前記撮影画像を複数記憶する画像記憶部を備え、前記使用者特定部は、前記第１画像に含まれる人物で、且つ前記画像記憶部に記憶された前記撮影画像に含まれる人物のうち、前記撮影画像に含まれる頻度が最も低い人物を前記カメラの使用者であると特定してもよい。
【０００８】
また、前記画像表示装置は、前記撮影画像を複数記憶する画像記憶部を備え、前記使用者特定部は、前記第１画像に含まれる人物で、且つ前記画像記憶部に記憶された前記撮影画像に含まれる人物のうち、前記撮影画像に含まれる頻度が第１閾値以上となる人物を前記カメラの使用者であると特定してもよい。
【０００９】
また、前記第１画像に含まれる人物の特徴量と、前記人物が含まれる第１画像が前記第１撮像部により取得された時間とを関連付けて記憶する情報記憶部を備え、前記使用者特定部は、前記情報記憶部に記憶された特徴量を有する人物のうち、前記第１撮像部により取得された時間が第２閾値以上となる人物を前記カメラの使用者の候補とした後、前記カメラの使用者の候補となる人物の特徴量と、前記撮影画像に含まれる人物の特徴量とから、前記カメラの使用者を特定してもよい。
【００１０】
また、前記カメラは、前記カメラの電源のオンオフを制御する電源制御部を備え、前記電源制御部は、前記使用許可判定部により前記カメラの使用を許可すると判定された場合に、前記カメラの電源をオフにしてもよい。
【００１１】
また、前記使用許可判定部は、前記カメラの使用を許可すると判定した場合に、前記第２撮像部による前記撮影画像の取得を禁止してもよい。
【００１２】
また、前記第１撮像部は、所定時間間隔で前記第１画像を取得してもよい。
【００１３】
また、前記使用者特定部は、前記第１画像に含まれる人物が前記撮影画像に含まれる頻度に応じて、前記カメラに設けられる複数の機能のうち使用可能となる機能の使用許容レベルと、前記第１画像に含まれる人物の特徴量との関係を設定し、前記使用許可判定部は、前記第２取得部により取得された人物の特徴量と、前記受信部により受信された前記使用者の特徴量とから、前記カメラの使用を許可すると判定した場合に、前記使用者特定部により設定された前記使用許容レベルと前記人物との関係を用いて、前記第２取得部により取得された人物の特徴量に基づいた前記使用許容レベルを設定してもよい。
【００１４】
本発明の画像表示装置は、撮影画像を取得するカメラが接続される画像表示装置であって、前記撮影画像を表示したときに、前記撮影画像を鑑賞する人物の像を前記カメラの使用者と特定するための特定用画像として取得する撮像部と、前記特定用画像に含まれる人物の特徴量と、前記撮影画像に含まれる人物の特徴量とを取得する取得部と、前記取得部により取得された人物の特徴量と、前記撮影画像に含まれる人物の特徴量とから、前記カメラの使用者を特定する使用者特定部と、前記使用者特定部により特定された前記使用者の特徴量を、前記カメラに送信する送信部とを備える。
【００１５】
本発明のカメラは、撮影画像を表示することが可能な画像表示装置に接続されるカメラであって、前記画像表示装置から送信された使用者の特徴量を受信する受信部と、前記カメラの使用を許可するか否かの判定に用いる判定用画像と、前記撮影画像とを取得する撮像部と、前記判定用画像に含まれる人物の特徴量を取得する取得部と、前記取得部により取得された人物の特徴量と、前記受信部により受信された前記使用者の特徴量とから、前記カメラの使用を許可するか否かを判定する使用許可判定部とを備える。
【発明の効果】
【００１６】
本発明のカメラシステム、カメラ及び画像表示装置によれば、煩雑な操作なく、カメラの使用者を登録することができる。
【図面の簡単な説明】
【００１７】
【図１】本発明の第１実施形態におけるカメラシステム１０の構成を示すブロック図である。
【図２】第１実施形態の画像表示装置２０における起動時の処理内容を示すフローチャートである。
【図３】第１実施形態のカメラ４０における電源オン時の処理内容を示すフローチャートである。
【図４】第２実施形態のカメラ４０における電源オン時の処理内容を示すフローチャートである。
【発明を実施するための形態】
【００１８】
（第１実施形態）
以下、図面を用いて本発明の実施形態について説明する。図１は、本発明の第１実施形態におけるカメラシステム１０の構成を示すブロック図である。図１に示すように、カメラシステム１０は、画像表示装置２０、カメラ４０により構成される。以下、画像表示装置２０は、カメラ４０の使用者の自宅に設置され、この画像表示装置２０に表示される画像は、主に使用者又は使用者の家族により鑑賞される例を示す。
【００１９】
画像表示装置２０は、撮像レンズ２１、撮像素子２２、Ａ／Ｄ変換部２３、バッファメモリ２４、画像処理部２５、表示部２６、操作部２７、通信部２８、メモリ２９、制御部３０、バス３１を備える。画像表示装置２０の前面には、撮像レンズ２１、表示部２６が配置されている。これにより、画像表示装置２０は、撮像レンズ２１を介して、表示部２６を鑑賞している人物（以下、鑑賞者と称する）を撮像する。
【００２０】
撮像レンズ２１は、撮像素子２２の結像面に被写体像を結像する。撮像素子２２は、撮像レンズ２１を通過した被写体光を光電変換し、Ｒ、Ｇ、Ｂの各色に対応するアナログ画像信号を出力する。撮像素子２２は、所定間隔毎に間引き読み出しを行い、スルー画像を取得する。撮像素子２２から出力される画像信号は、Ａ／Ｄ変換部２３に入力される。Ａ／Ｄ変換部２３は、撮像素子２２から出力されるアナログの画像信号をデジタルの画像信号に変換する。なお、このデジタルの画像信号は、１コマにまとめられ、画像データとしてバッファメモリ２４に記録される。バッファメモリ２４は、後述する画像処理部２５による画像処理の前工程や後工程で画像データを一時的に記録する。
【００２１】
画像処理部２５は、バッファメモリ２４に記録された画像データに対して画像処理を施す。なお、この画像処理としては、周知の解像度変換処理、ホワイトバランス調整、明るさ調整、色補間、階調変換処理、輪郭強調処理等が挙げられる。また、画像処理部２５は、ＪＰＥＧ（Joint Photographic Experts Group）形式等で圧縮する処理や、圧縮された上記のデータを伸長復元する処理をも実行する。
【００２２】
表示部２６は、各種の画像を表示する。表示部２６に表示される各種の画像は、後述する撮影画像記録部３４に記録された画像、メニュー画像等である。操作部２７は、キーや釦等からなり、メニュー画像の表示時等に操作される。なお、操作部２７の状態は制御部３０により検知され、検知されたキーや釦の状態に基づいたシーケンスが実行される。
【００２３】
通信部２８は、公知の通信規格に準拠して外部の装置と通信を行う通信デバイス用のインターフェースから構成される。本実施形態では、通信デバイス用のインターフェースは、ＵＳＢ（Universal Serial Bus）インターフェースから構成される。制御部３０は、通信部２８及びＵＳＢケーブルを介して、カメラ４０から画像及び機種情報を受信する。以下、カメラ４０から受信した画像を撮影画像と称する。また、制御部３０は、通信部２８及びＵＳＢケーブルを介してカメラ４０に、カメラ４０の使用者情報を送信する。例えば、使用者情報としては、後述する使用者の特徴量が挙げられる。
【００２４】
メモリ２９は、鑑賞者情報記録部３２、家族情報記録部３３、撮影画像記録部３４を備える。鑑賞者情報記録部３２は、画像表示装置２０を鑑賞している人物の特徴量を記録する。家族情報記録部３３は、画像表示装置２０を鑑賞している人物のうち、家族であると判定された人物の特徴量を記録する。撮影画像記録部３４は、撮影画像を記録する。また、メモリ２９は、後述する使用者特定部３６がカメラ４０の使用者であると特定した使用者の特徴量と、カメラ４０の機種情報とを関連付けて記録する。
【００２５】
制御部３０は、所定のシーケンスプログラムにしたがって、画像表示装置２０の統括的な制御を行うとともに、撮像時に必要となる各種演算（ＡＦ演算、ＡＥ演算等）を実行する。また、制御部３０は、顔検出部３５、使用者特定部３６を備える。顔検出部３５は、スルー画像、撮影画像から特徴点を抽出して顔領域、顔の大きさ等を検出する。この顔領域の検出方法は、特開２００１−１６５７３号公報等に記載された特徴点抽出処理が挙げられる。上記の特徴点としては、例えば、眉、目、鼻、唇の各端点、顔の輪郭点、頭頂点や顎の下端点等が挙げられる。また、顔検出部３５は、特徴点の位置、各特徴点の相対距離などから、特徴量を求める。
【００２６】
制御部３０は、スルー画像に含まれる人物の特徴量を、鑑賞者の特徴量として鑑賞者情報記録部３２に記録する。また、制御部３０は、鑑賞者の特徴量と、該鑑賞者がスルー画像に含まれている日時とを関連付けて記録する。そして、制御部３０は、鑑賞者情報記録部３２に記録された鑑賞者のうち、家族である可能性が高い人物を抽出し、抽出した人物の特徴量を、家族を構成する人物の特徴量として、家族情報記録部３３に記録する。例えば、制御部３０は、鑑賞者情報記録部３２に記録された日時から、鑑賞者がスルー画像に含まれている時間、すなわち鑑賞者が表示部２６に表示された撮影画像を鑑賞している鑑賞時間を算出する。次に、制御部３０は、鑑賞者情報記録部３２に記録された鑑賞者のうち、現在の日付から３０日前までの日付において、鑑賞時間の合計が閾値Ｔ１以上である人物を抽出し、抽出した人物の特徴量を家族情報記録部３３に記録する。
【００２７】
使用者特定部３６は、家族を構成する人物のうち、カメラ４０の使用者を特定する。まず、使用者特定部３６は、家族を構成する人物それぞれについて、撮影画像に含まれるか否かを判定する。例えば、使用者特定部３６は、家族情報記録部３３に記録された、判定対象となる人物の特徴量と、撮影画像に含まれる人物の特徴量（以下、被写体の特徴量と称する）とを比較し、判定対象となる人物の特徴量と、被写体の特徴量との相似度を求める。そして、使用者特定部３６は、求めた相似度が予め設定した閾値Ｔ２以上であるか否かを判定する。使用者特定部３６は、求めた相似度が予め設定した閾値Ｔ２以上である場合に、判定対象となる人物が撮影画像に含まれると判定する。一方、使用者特定部３６は、求めた相似度が予め設定した閾値Ｔ２未満である場合に、判定対象となる人物が撮影画像に含まれないと判定する。
【００２８】
次に、使用者特定部３６は、家族を構成する人物それぞれについて、撮影画像に含まれる頻度を求める。このとき、使用者特定部３６は、それぞれの頻度を比較し、頻度が極端に少ない人物がいる場合は、その人物をカメラ４０の使用者であると特定する。一方、使用者特定部３６は、頻度にばらつきがない場合は、撮影画像に含まれる頻度が閾値Ｔ３以上である複数の人物をカメラ４０の使用者であると特定する。この場合、カメラ４０は共有である。
【００２９】
バス３１は、バッファメモリ２４、画像処理部２５、表示部２６、メモリ２９、制御部３０を相互に接続することにより、データや信号の出入力を実行する。
【００３０】
次に、カメラ４０について説明する。カメラ４０は、撮像レンズ４１、撮像素子４２、Ａ／Ｄ変換部４３、バッファメモリ４４、画像処理部４５、表示部４６、操作部４７、通信部４８、メモリ４９、記録Ｉ／Ｆ部５０、記録媒体５１、制御部５２、バス５３を備える。撮像レンズ４１は、カメラ４０の前面に配置されている。そのため、カメラ４０の使用者は、電源釦（不図示）を押下した時に、撮像レンズ４１を自分自身に向けて、カメラ４０の使用可否を判定するためのスルー画像を撮影する。そして、カメラ４０の使用者は、カメラ４０の使用が許可された場合に、撮像レンズ４１を被写体に向けて、撮影画像を撮影する。
【００３１】
撮像レンズ４１は、撮像素子４２の結像面に被写体像を結像する。撮像素子４２は、撮像レンズ４１を通過した被写体光を光電変換し、Ｒ、Ｇ、Ｂの各色に対応するアナログ画像信号を出力する。電源釦が押下されると、撮像素子４２は、所定間隔毎に間引き読み出しを行い、スルー画像を取得する。その後、撮像素子４２は、後述するレリーズ釦５４が全押しされると、撮影画像を取得する。撮像素子４２から出力される画像信号は、Ａ／Ｄ変換部４３に入力される。Ａ／Ｄ変換部４３は、撮像素子４２から出力されるアナログの画像信号をデジタルの画像信号に変換する。なお、このデジタルの画像信号は、１コマにまとめられ、画像データとしてバッファメモリ４４に記録される。バッファメモリ４４は、後述する画像処理部４５による画像処理の前工程や後工程で画像データを一時的に記録する。
【００３２】
画像処理部４５は、バッファメモリ４４に記録された画像データに対して画像処理を施す。なお、この画像処理は、上述した画像処理部２５の画像処理と同様である。表示部４６は、各種の画像を表示する。表示部４６に表示される各種の画像は、撮像により取得した画像、メニュー画像、後述する記録媒体５１に記録された画像等である。操作部４７は、レリーズ釦５４、十字キー５５等を有する。レリーズ釦５４は、その半押し操作時にＡＥ演算やＡＦ演算が実行される。また、レリーズ釦５４は、その全押し操作時に撮像に係る処理が行われる。十字キー５５は、メニュー画像の表示時等に操作される。なお、レリーズ釦５４、十字キー５５の状態は制御部５２により検知され、検知された釦やキーの状態に基づいたシーケンスが実行される。
【００３３】
通信部４８は、上述した通信部２８と同様の通信デバイスから構成される。制御部５２は、通信部４８及びＵＳＢケーブルを介して、画像表示装置２０からカメラ４０の使用者の特徴量を受信する。また、制御部５２は、通信部４８及びＵＳＢケーブルを介して画像表示装置２０に、記録媒体５１に記録した撮影画像、機種情報を送信する。メモリ４９は、カメラ４０の使用者の特徴量を記録する使用者情報記録部５６を有する。記録Ｉ／Ｆ部５０は、記録媒体５１を接続するためのコネクタを備えている。この記録Ｉ／Ｆ部５０と記録媒体５１とが接続されることにより、記録媒体５１に対してデータの書き込み／読み出しが実行される。
【００３４】
制御部５２は、所定のシーケンスプログラムにしたがって、カメラ４０の統括的な制御を行うとともに、撮像時に必要となる各種演算（ＡＦ演算、ＡＥ演算等）を実行する。また、制御部５２は、顔検出部５７、使用許可判定部５８を備える。顔検出部５７は、スルー画像から特徴点を抽出して顔領域、顔の大きさ等を検出する。この顔領域の検出方法は、上述した顔検出部３５の検出方法と同様である。
【００３５】
使用許可判定部５８は、電源釦（不図示）が押下された後、使用者情報記録部５６に記録された特徴量と、スルー画像に含まれる使用者の特徴量とを比較し、カメラ４０の使用を許可するか否かを判定する。例えば、使用許可判定部５８は、使用者情報記録部５６に記録された使用者の特徴量（以下、登録された使用者の特徴量と称する）と、スルー画像に含まれる使用者の特徴量（以下、現在の使用者の特徴量と称する）とを比較し、登録された使用者の特徴量と、現在の使用者の特徴量との相似度を求める。次に、使用許可判定部５８は、求めた相似度が予め設定した閾値Ｔ2以上であるか否かを判定する。使用許可判定部５８は、求めた相似度が閾値Ｔ2以上であると判定した場合に、登録された使用者と、現在の使用者とは一致すると判定する。そして、使用許可判定部５８は、カメラ４０の使用を許可する。
【００３６】
一方、上述した相似度が閾値Ｔ2未満となる場合に、使用許可判定部５８は、登録された使用者と、現在の使用者とは一致していないと判定する。そして、使用許可判定部５８は、カメラ４０の使用を禁止する。
【００３７】
バス５３は、バッファメモリ４４、画像処理部４５、表示部４６、メモリ４９、記録Ｉ／Ｆ部５０、制御部５２を相互に接続することにより、データや信号の出入力を実行する。
【００３８】
次に、第１実施形態の画像表示装置２０における起動時の処理内容について、図２のフローチャートに基づいて説明する。なお、このフローチャートは、電源釦が押下され、各部が起動しているとともに、撮影画像記録部３４に撮影画像が記録されていることを前提に説明する。
【００３９】
ステップＳ１０１は、撮影画像を表示するか否かを判定する処理である。制御部３０は、操作部２７を介して、撮影画像を表示する指示を受け付けたか否かを判定する。制御部３０は、撮影画像を表示する指示を受け付けたと判定した場合（ステップＳ１０１の判定がＹＥＳとなる場合）には、ステップＳ１０２に進む。一方、制御部３０は、撮影画像を表示する指示を受け付けていないと判定した場合（ステップＳ１０１の判定がＮＯとなる場合）には、ステップＳ１０９に進む。
【００４０】
ステップＳ１０２は、撮影画像を表示する処理である。制御部３０は、撮影画像記録部３４から撮影画像を読み出し、読み出した撮影画像を表示部２６に表示する。
【００４１】
ステップＳ１０３は、スルー画像を取得する処理である。撮像素子２２は、スルー画像を取得する。
【００４２】
ステップＳ１０４は、スルー画像から顔領域を検出する処理である。顔検出部３５は、ステップＳ１０３で取得したスルー画像から顔領域を検出する。
【００４３】
ステップＳ１０５は、顔領域を検出したか否かを判定する処理である。制御部３０は、顔領域を検出したと判定した場合（ステップＳ１０５の判定がＹＥＳとなる場合）には、ステップＳ１０６に進む。一方、制御部３０は、顔領域を検出していないと判定した場合（ステップＳ１０５の判定がＮＯとなる場合）には、ステップＳ１０３に戻り、スルー画像を取得する。
【００４４】
ステップＳ１０６は、鑑賞者の特徴量を記録する処理である。顔検出部３５は、ステップＳ１０５で検出した顔領域の特徴点の位置、各特徴点の相対距離などから、スルー画像に含まれる鑑賞者の特徴量を求める。制御部３０は、鑑賞者の特徴量と、該鑑賞者がスルー画像に含まれている日時とを関連付けて鑑賞者情報記録部３２に記録する。
【００４５】
ステップＳ１０７は、撮影画像の表示を終了するか否かを判定する処理である。制御部３０は、操作部２７を介して、撮影画像の表示を終了する指示を受け付けたか否かを判定する。制御部３０は、撮影画像の表示を終了する指示を受け付けたと判定した場合（ステップＳ１０７の判定がＹＥＳとなる場合）には、ステップＳ１０８に進む。一方、制御部３０は、撮影画像の表示を終了する指示を受け付けていないと判定した場合（ステップＳ１０７の判定がＮＯとなる場合）には、ステップＳ１０２に戻り、撮影画像を表示する。
【００４６】
ステップＳ１０８は、家族を構成する人物の特徴量を記録する処理である。制御部３０は、ステップＳ１０６で、鑑賞者情報記録部３２に記録された日時から、鑑賞者がスルー画像に含まれている時間、すなわち鑑賞者が表示部２６に表示された撮影画像を鑑賞している鑑賞時間を算出する。次に、制御部３０は、鑑賞者情報記録部３２に記録された鑑賞者のうち、現在の日付から３０日前までの日付において、鑑賞時間の合計が閾値Ｔ１以上である人物を抽出し、抽出した人物の特徴量を家族情報記録部３３に記録する。
【００４７】
ステップＳ１０１で撮影画像を表示する指示を受け付けていないと判定した場合には、ステップＳ１０９に進む。ステップＳ１０９は、他の電子機器にＵＳＢ接続されたか否かを判定する処理である。制御部３０は、他の電子機器にＵＳＢ接続されたと判定した場合（ステップＳ１０９の判定がＹＥＳとなる場合）には、ステップＳ１１０に進む。一方、制御部３０は、他の電子機器にＵＳＢ接続されていないと判定した場合（ステップＳ１０９の判定がＮＯとなる場合）には、ステップＳ１１８に進む。
【００４８】
ステップＳ１１０は、カメラ４０と接続されているか否かを判定する処理である。まず、制御部３０は、カメラ４０の制御部５２に、カメラ４０の機種情報などを送信するように指示する。これを受けて、制御部５２は、カメラ４０の機種情報などを制御部３０に送信する。次に、制御部３０は、送信されたカメラ４０の機種情報などに基づいて、カメラ４０と接続されているか否かを判定する。制御部３０は、カメラ４０と接続されていると判定した場合（ステップＳ１１０の判定がＹＥＳとなる場合）には、カメラ４０の制御部５２に撮影画像を送信するように指示し、ステップＳ１１１に進む。一方、制御部３０は、カメラ４０と接続されていないと判定した場合（ステップＳ１１０の判定がＮＯとなる場合）には、ステップＳ１１８に進む。
【００４９】
ステップＳ１１１は、受信した撮影画像を記録する処理である。カメラ４０の制御部５２は、上記の指示を受けて、撮影画像を送信する。制御部３０は、カメラ４０から撮影画像を受信し、受信した撮影画像を撮影画像記録部３４に記録する。また、制御部３０は、カメラ４０の機種情報を受信し、受信した機種情報を撮影画像に関連付けて撮影画像記録部３４に記録する。
【００５０】
ステップＳ１１２は、撮影画像から顔領域を検出する処理である。顔検出部３５は、撮影画像記録部３４から撮影画像を読み出し、読み出した撮影画像から顔領域を検出する。
【００５１】
ステップＳ１１３は、顔領域を検出したか否かを判定する処理である。制御部３０は、顔領域を検出したと判定した場合（ステップＳ１１３の判定がＹＥＳとなる場合）には、ステップＳ１１４に進む。一方、制御部３０は、顔領域を検出していないと判定した場合（ステップＳ１１３の判定がＮＯとなる場合）には、ステップＳ１１８に進む。
【００５２】
ステップＳ１１４は、被写体の特徴量を記録する処理である。顔検出部３５は、ステップＳ１１３で検出した顔領域の特徴点の位置、各特徴点の相対距離などから、撮影画像に含まれる被写体の特徴量を求める。制御部３０は、求められた被写体の特徴量をメモリ２９に記録する。
【００５３】
ステップＳ１１５は、家族を構成する人物の特徴量と被写体の特徴量とを比較する処理である。使用者特定部３６は、家族情報記録部３３から家族を構成する人物の特徴量を読み出すとともに、メモリ２９から被写体の特徴量を読み出す。そして、使用者特定部３６は、家族を構成する人物の特徴量と被写体の特徴量とを比較し、相似度を求める。
【００５４】
ステップＳ１１６は、カメラ４０の使用者を特定する処理である。使用者特定部３６は、ステップＳ１１５で求めた相似度に基づいて、家族を構成する人物のうち、カメラ４０の使用者を特定する。
【００５５】
ステップＳ１１７は、カメラ４０の使用者の特徴量を送信する処理である。制御部３０は、カメラ４０の使用者の特徴量を、カメラ４０の制御部５２に送信する。
【００５６】
ステップＳ１１８は、電源釦が押下されたか否かを判定する処理である。制御部３０は、電源釦が押下されたと判定した場合（ステップＳ１１８の判定がＹＥＳとなる場合）には、ステップＳ１１９に進む。一方、制御部３０は、電源釦が押下されていないと判定した場合（ステップＳ１１８の判定がＮＯとなる場合）には、ステップＳ１０１に戻り、撮影画像を表示するか否かを判定する。
【００５７】
ステップＳ１１９は、電源をオフにする処理である。制御部３０は、画像表示装置２０の各部の電源をオフにし、一連の処理を終了する。
【００５８】
次に、第１実施形態のカメラ４０における電源オン時の処理内容について、図３のフローチャートに基づいて説明する。
【００５９】
ステップＳ２０１は、電源釦が押下されたか否かを判定する処理である。制御部５２は、電源釦が押下されたと判定した場合（ステップＳ２０１の判定がＹＥＳとなる場合）には、ステップＳ２０２に進む。一方、制御部５２は、電源釦が押下されていないと判定した場合（ステップＳ２０１の判定がＮＯとなる場合）には、電源釦が押下されるまで待機する。
【００６０】
ステップＳ２０２は、カメラ４０の使用者の特徴量が記録されているか否かを判定する処理である。制御部５２は、使用者の特徴量が使用者情報記録部５６に記録されているか否かを判定する。制御部５２は、使用者の特徴量が記録されていると判定した場合（ステップＳ２０２の判定がＹＥＳとなる場合）には、ステップＳ２０３に進む。一方、制御部５２は、使用者の特徴量が記録されていないと判定した場合（ステップＳ２０２の判定がＮＯとなる場合）には、ステップＳ２０７に進む。
【００６１】
ステップＳ２０３は、スルー画像を取得する処理である。まず、制御部５２は、撮像レンズ４１、撮像素子４２、Ａ／Ｄ変換部４３、バッファメモリ４４、画像処理部４５を起動する。次に、撮像素子４２は、スルー画像を取得する。なお、表示部４６は、起動していない。そのため、このとき取得されたスルー画像は、表示部４６に表示されない。
【００６２】
ステップＳ２０４は、スルー画像から顔領域を検出する処理である。顔検出部５７は、ステップＳ２０３で取得したスルー画像から顔領域を検出する。
【００６３】
ステップＳ２０５は、顔領域を検出したか否かを判定する処理である。制御部５２は、顔領域を検出したと判定した場合（ステップＳ２０５の判定がＹＥＳとなる場合）には、ステップＳ２０６に進む。一方、制御部５２は、顔領域を検出していないと判定した場合（ステップＳ２０５の判定がＮＯとなる場合）には、ステップＳ２０３に戻り、スルー画像を取得する。
【００６４】
ステップＳ２０６は、登録された使用者と現在の使用者とが一致するか否かを判定する処理である。まず、顔検出部５７は、ステップＳ２０５で検出した顔領域の特徴点の位置、各特徴点の相対距離などから、スルー画像に含まれる使用者の特徴量を求める。次に、使用許可判定部５８は、使用者情報記録部５６に記録された特徴量と、スルー画像に含まれる使用者の特徴量とを比較し、登録された使用者と、現在の使用者とが一致するか否かを判定する。
【００６５】
制御部５２は、登録された使用者と現在の使用者とが一致すると判定した場合（ステップＳ２０６の判定がＹＥＳとなる場合）には、ステップＳ２０７に進む。一方、制御部５２は、登録された使用者と現在の使用者とが一致しないと判定した場合（ステップＳ２０６の判定がＮＯとなる場合）には、ステップＳ２１９に進む。
【００６６】
ステップＳ２０７は、カメラ４０の各部を起動する処理である。制御部３０は、ステップＳ２０３で起動した撮像レンズ４１、撮像素子４２、Ａ／Ｄ変換部４３、バッファメモリ４４、画像処理部４５を除く、各部を起動する。
【００６７】
ステップＳ２０８は、レリーズ釦５４が押下されたか否かを判定する処理である。制御部５２は、レリーズ釦５４が押下されたと判定した場合（ステップＳ２０８の判定がＹＥＳとなる場合）には、ステップＳ２０９に進む。一方、制御部５２は、レリーズ釦５４が押下されていないと判定した場合（ステップＳ２０８の判定がＮＯとなる場合）には、ステップＳ２１１に進む。
【００６８】
ステップＳ２０９は、撮影画像を取得する処理である。撮像素子４２は、撮影画像を取得する。
【００６９】
ステップＳ２１０は、撮影画像を記録する処理である。画像処理部４５は、ステップＳ２０９で取得した撮影画像に画像処理を施す。制御部５２は、画像処理を施した撮影画像を記録媒体５１に記録する。
【００７０】
ステップＳ２０８でレリーズ釦５４が押下されていないと判定した場合には、ステップＳ２１１に進む。ステップＳ２１１は、他の電子機器にＵＳＢ接続されたか否かを判定する処理である。制御部５２は、他の電子機器にＵＳＢ接続されたと判定した場合（ステップＳ２１１の判定がＹＥＳとなる場合）には、ステップＳ２１２に進む。一方、制御部５２は、他の電子機器にＵＳＢ接続されていないと判定した場合（ステップＳ２１１の判定がＮＯとなる場合）には、ステップＳ２１７に進む。
【００７１】
ステップＳ２１２は、画像表示装置２０と接続されているか否かを判定する処理である。制御部５２は、画像表示装置２０の制御部３０から撮影画像を送信する指示を受けたか否かを判定することにより、画像表示装置２０と接続されているか否かを判定する（図２のフローチャートのステップＳ１１０参照）。制御部５２は、画像表示装置２０と接続されていると判定した場合（ステップＳ２１２の判定がＹＥＳとなる場合）には、ステップＳ２１３に進む。一方、制御部５２は、画像表示装置２０と接続されていないと判定した場合（ステップＳ２１２の判定がＮＯとなる場合）には、ステップＳ２１７に進む。
【００７２】
ステップＳ２１３は、撮影画像を画像表示装置２０に送信する処理である。制御部５２は、記録媒体５１から撮影画像を読み出し、読み出した撮影画像を画像表示装置２０に送信する。また、制御部５２は、カメラ４０の機種情報を画像表示装置２０に送信する（図２のフローチャートのステップＳ１１１参照）。
【００７３】
ステップＳ２１４は、使用者の特徴量を受信したか否かを判定する処理である。制御部５２は、使用者の特徴量を受信したと判定した場合（ステップＳ２１４の判定がＹＥＳとなる場合）には、ステップＳ２１５に進む（図２のフローチャートのステップＳ１１７参照）。一方、制御部５２は、使用者の特徴量を受信していないと判定した場合（ステップＳ２１４の判定がＮＯとなる場合）には、ステップＳ２１６に進む。
【００７４】
ステップＳ２１５は、使用者の特徴量を更新する処理である。制御部５２は、使用者情報記録部５６に記録された使用者の特徴量を、画像表示装置２０から送信された使用者の特徴量に更新する。
【００７５】
ステップＳ２１６は、ＵＳＢ接続が終了したか否かを判定する処理である。制御部５２は、ＵＳＢ接続が終了したと判定した場合（ステップＳ２１６の判定がＹＥＳとなる場合）には、ステップＳ２０８に戻り、レリーズ釦５４が押下されたか否かを判定する。一方、制御部５２は、ＵＳＢ接続が終了していないと判定した場合（ステップＳ２１６の判定がＮＯとなる場合）には、ＵＳＢ接続が終了するまで待機する。
【００７６】
ステップＳ２１１で他の電子機器にＵＳＢ接続されていないと判定した場合、又はステップＳ２１２で画像表示装置２０と接続されていないと判定した場合には、ステップＳ２１７に進む。ステップＳ２１７は、電源釦が押下されたか否かを判定する処理である。制御部５２は、電源釦が押下されたと判定した場合（ステップＳ２１７の判定がＹＥＳとなる場合）には、ステップＳ２１８に進む。一方、制御部５２は、電源釦が押下されていないと判定した場合（ステップＳ２１７の判定がＮＯとなる場合）には、ステップＳ２０８に戻り、レリーズ釦５４が押下されたか否かを判定する。
【００７７】
ステップＳ２１８は、電源をオフにする処理である。制御部５２は、カメラ４０の各部の電源をオフにし、一連の処理を終了する。
【００７８】
ステップＳ２０６で登録された使用者と現在の使用者とが一致しないと判定された場合には、ステップＳ２１９に進む。ステップＳ２１９は、電源をオフにする処理である。制御部５２は、カメラ４０の各部の電源をオフにし、一連の処理を終了する。
【００７９】
以上説明したように、第１実施形態のカメラシステム１０は、画像表示装置２０に表示された撮影画像を鑑賞する鑑賞者の特徴量と、該撮影画像に含まれる被写体の特徴量とに基づいて、カメラ４０の使用者を特定する。そのため、カメラ４０の使用者が、自分自身の顔にカメラ４０を向けて、登録用の画像を取得する必要がない。また、自分自身の顔にカメラ４０を向けて適切な画像を取得することは困難であるが、カメラ４０を他人に渡して、画像を取得してもらう必要がない。したがって、第１実施形態のカメラシステム１０によれば、煩雑な操作なく、カメラ４０の使用者を登録することができる。また、他人にカメラ４０を渡す必要がないので、セキュリティを損なうことなく、カメラ４０の使用者を登録することができる。
【００８０】
また、第１実施形態のカメラシステム１０は、カメラ４０の電源オン時、登録された使用者以外の人物がカメラ４０を使用していると判定した場合に、電源をオフにする。したがって、カメラ４０の使用者は、電源オン時に、自分自身の顔に撮像レンズ４１を向けるだけでよい。また、登録された使用者以外の人物はカメラ４０を使用できないため、セキュリティを維持することができる。
【００８１】
また、画像表示装置２０は、連続的に鑑賞者を撮像したスルー画像を取得する。そのため、１枚の画像から求めた特徴量と比較して、精度の高い鑑賞者の特徴量を求めることができる。さらに、鑑賞者の特徴量のうち、家族である可能性が高い人物の特徴量を抽出して記録するため、家族を構成する人物について、精度の高い特徴量を求めることができる。
【００８２】
また、カメラ４０は、電源釦が押下された後、撮像素子４２など、カメラ４０の使用可否を判定するための最低限の構成部分のみ起動するため、効率的に現在の使用者と登録された使用者とが一致するか否かを判定することができる。
【００８３】
また、第１実施形態では、画像表示装置２０に、１つのカメラ４０を接続する場合を例に挙げて説明したが、複数のカメラ４０を接続する場合にも対応することができる。この場合、画像表示装置２０は、ステップＳ１１１で受信した機種情報に基づいて、カメラ４０毎に使用者を特定する。したがって、第１実施形態のカメラシステム１０によれば、使用者の自宅に複数のカメラ４０がある場合に、カメラ４０毎に使用者の特徴量を登録する必要がない。
（第２実施形態）
以下、第２実施形態について説明する。第１実施形態では、家族であっても、カメラ４０の使用者ではないと判定された人物に対して、一律にカメラ４０の使用を禁止する例を示した。第２実施形態では、撮影画像に含まれる頻度に応じて、家族を構成する各人物におけるカメラ４０の使用許容レベルを変更する例を示す。この使用許容レベルは、カメラ４０に設けられる複数の機能のうち使用可能となる機能のレベルを示すものである。
【００８４】
例えば、画像表示装置２０にカメラ４０から受信した撮影画像が１０００枚記録されているとする。この場合、使用者特定部３６は、１０枚未満の撮影画像に含まれる人物を、カメラ４０の主使用者であると特定する。また、使用者特定部３６は、１０枚以上、５０枚未満の撮影画像に含まれる人物を、カメラ４０の副使用者であると特定する。また、使用者特定部３６は、５０枚以上の撮影画像に含まれる人物を、カメラ４０の使用者ではないと判定する。そして、使用者特定部３６は、主使用者であると特定した人物の特徴量、及び副使用者であると特定した人物の特徴量を使用者情報記録部５６に記録する。制御部３０は、通信部２８及びＵＳＢケーブルを介してカメラ４０の主使用者の特徴量、及び副使用者の特徴量をカメラ４０の制御部５２に送信する。
【００８５】
これを受けて、使用許可判定部５８は、カメラ４０の主使用者に対して、カメラ４０の全ての機能を許可する。また、使用許可判定部５８は、カメラ４０の副使用者に対して、撮影は許可するが、撮影画像の再生や、撮影画像の削除、各種機能の設定の変更は許可しない。また、使用許可判定部５８は、カメラ４０の使用者ではないと判定された家族に対して、第１実施形態と同様に、カメラ４０の使用を許可しない。
【００８６】
次に、第２実施形態のカメラ４０における電源オン時の処理内容について、図４のフローチャートに基づいて説明する。なお、図４のフローチャートでは、第１実施形態と同様の処理であるため、撮影画像及び機種情報を画像表示装置２０に送信する処理を省略している。
【００８７】
ステップＳ３０１は、図３のフローチャートのステップＳ２０１と同様の処理である。
【００８８】
ステップＳ３０２は、カメラ４０の主使用者又は副使用者の特徴量が記録されているか否かを判定する処理である。制御部５２は、主使用者又は副使用者の特徴量が使用者情報記録部５６に記録されているか否かを判定する。制御部５２は、主使用者又は副使用者の特徴量が記録されていると判定した場合（ステップＳ３０２の判定がＹＥＳとなる場合）には、ステップＳ３０３に進む。一方、制御部５２は、主使用者又は副使用者の特徴量が記録されていないと判定した場合（ステップＳ３０２の判定がＮＯとなる場合）には、ステップＳ３０７に進む。
【００８９】
ステップＳ３０３からステップＳ３０５は、図３のフローチャートのステップＳ２０３からステップＳ２０５と同様の処理である。
【００９０】
ステップＳ３０６は、登録された主使用者又は副使用者と現在の使用者とが一致するか否かを判定する処理である。まず、顔検出部５７は、ステップＳ３０５で検出した顔領域の特徴点の位置、各特徴点の相対距離などから、スルー画像に含まれる使用者の特徴量を求める。次に、使用許可判定部５８は、使用者情報記録部５６に記録された主使用者又は副使用者の特徴量とスルー画像に含まれる使用者の特徴量とを比較し、登録された主使用者又は副使用者と、現在の使用者とが一致するか否かを判定する。
【００９１】
制御部５２は、登録された主使用者又は副使用者と現在の使用者とが一致すると判定した場合（ステップＳ３０６の判定がＹＥＳとなる場合）には、ステップＳ３０７に進む。一方、制御部５２は、登録された主使用者又は副使用者と現在の使用者とが一致しないと判定した場合（ステップＳ３０６の判定がＮＯとなる場合）には、ステップＳ３１９に進む。
【００９２】
ステップＳ３０７からステップＳ３１０は、図３のフローチャートのステップＳ２０７からステップＳ２１０と同様の処理である。
【００９３】
ステップＳ３１１は、再生モードに移行する指示を受け付けたか否かを判定する処理である。制御部５２は、再生モードに移行する指示を受け付けた場合（ステップＳ３１１の判定がＹＥＳとなる場合）には、ステップＳ３１２に進む。一方、再生モードに移行する指示を受け付けていない場合（ステップＳ３１１の判定がＮＯとなる場合）には、ステップＳ３１７に進む。
【００９４】
ステップＳ３１２は、撮影画像を表示する処理である。制御部５２は、記録媒体５１から撮影画像を読み出し、読み出した撮影画像を表示部４６に表示する。
【００９５】
ステップＳ３１３は、撮影画像を削除する指示を受け付けたか否かを判定する処理である。制御部５２は、撮影画像を削除する指示を受け付けた場合（ステップＳ３１３の判定がＹＥＳとなる場合）には、ステップＳ３１４に進む。一方、制御部５２は、撮影画像を削除する指示を受け付けていない場合（ステップＳ３１３の判定がＮＯとなる場合）には、撮影画像を削除する指示を受け付けるまで待機する。
【００９６】
ステップＳ３１４は、現在の使用者が主使用者であるか否かを判定する処理である。制御部５２は、ステップＳ３０６で現在の使用者と一致すると判定された使用者が主使用者であるか否かを判定する。制御部５２は、現在の使用者が主使用者であると判定した場合（ステップＳ３１４の判定がＹＥＳとなる場合）には、ステップＳ３１５に進む。一方、制御部５２は、現在の使用者が副使用者であると判定した場合（ステップＳ３１４の判定がＮＯとなる場合）には、ステップＳ３１６に進む。
【００９７】
ステップＳ３１５は、撮影画像を削除する処理である。制御部５２は、ステップＳ３１２で表示した撮影画像を削除する。その後、制御部５２は、ステップＳ３１２に戻り、撮影画像を表示する。
【００９８】
ステップＳ３１６は、撮影画像を削除できないことを表示する処理である。表示部４６は、撮影画像を削除できない旨を示すメッセージを表示する。その後、制御部５２は、ステップＳ３０８に戻り、レリーズ釦５４が押下されたか否かを判定する。
【００９９】
ステップＳ３１７からステップＳ３１９は、図３のフローチャートのステップＳ２１７からステップＳ２１９と同様の処理である。
【０１００】
以上説明したように、第２実施形態のカメラシステム１０は、カメラ４０の主使用者及び副使用者を特定するため、第１実施形態と同様の効果を得ることができる。
【０１０１】
また、第２実施形態のカメラシステム１０は、撮影画像に含まれる頻度に応じて、家族を構成する各人物におけるカメラ４０の使用許容レベルを変更する。そのため、第２実施形態のカメラシステム１０によれば、カメラ４０に対して、家族を構成する各人物に応じたセキュリティのレベルを設定することができる。
【０１０２】
なお、第１実施形態及び第２実施形態では、画像表示装置２０が、カメラ４０の使用者を特定する例を示したが、これに限らない。例えば、カメラ４０が使用者を特定してもよい。この場合、使用者特定部３６をカメラ４０に備える。また、画像表示装置２０は、カメラ４０の制御部５２に家族を構成する人物の特徴量を送信する。
【０１０３】
また、第１実施形態及び第２実施形態では、カメラ４０の前面に配置された撮像レンズ４１を使用者に向けて、使用者のスルー画像を取得する。そのため、カメラ４０の前面にＬＥＤランプを備え、適切に使用者のスルー画像が取得できた場合に、このＬＥＤランプを点灯させ、使用者のスルー画像が適切に取得できたことを使用者に認識させてもよい。また、使用者がスルー画像を確認できるように、前面に別の表示部を備え、取得したスルー画像を表示してもよい。さらに、カメラ４０の背面に、別の撮像レンズ、撮像素子を備え、これらにより、使用者のスルー画像を取得してもよい。
【０１０４】
また、図２のフローチャートのステップＳ１０６において、以下の処理を行ってもよい。例えば、顔検出部３５は、複数のスルー画像から求めた特徴量のうち、相似度が閾値Ｔ2以上である特徴量を抽出する。これにより、スルー画像に複数の人物が含まれる場合に、各人物の特徴量を抽出することができる。次に、顔検出部３５は、抽出した特徴量の平均値を求め、各人物の特徴量とする。制御部３２は、各人物の特徴量を、鑑賞者の特徴量として、鑑賞者情報記録部３２に記録する。
【０１０５】
また、図３のフローチャートのステップＳ２０６において、登録された使用者と現在の使用者とが一致しないと判定された場合に、カメラ４０の電源をオフにする例を示したが、これに限らない。例えば、制御部５２は、カメラ４０の電源をオフにすることなく、撮影画像の取得を禁止してもよい。
【０１０６】
また、第１実施形態及び第２実施形態では、家族として登録された人物、使用者として登録された人物を変更することについて述べていないが、これらの人物を表示部２６に表示し、カスタマイズで変更できるようにしてもよい。
【０１０７】
また、第１実施形態及び第２実施形態では、画像表示装置２０で撮影画像を表示する毎に、家族として登録された人物を更新する例を示したが、該人物を固定し、更新しなくてもよい。同様に、カメラ４０が画像表示装置２０と接続される毎に、カメラ４０の使用者として特定された人物を更新する例を示したが、更新しなくてもよい。
【０１０８】
また、第１実施形態及び第２実施形態では、使用者特定部３６は、カメラ４０から受信した全ての撮影画像から求めた被写体の特徴量と、家族を構成する人物の特徴量とを比較して、カメラ４０の使用者を特定する例を示したが、これに限らない。例えば、使用者特定部３６は、撮影画像を取得した日時の新しい１００枚から求めた被写体の特徴量と、家族を構成する人物の特徴量とを比較することにより、カメラ４０の使用者を特定してもよい。これにより、カメラ４０の使用者が変更された場合でも、最新の使用者に対応することができる。
【０１０９】
また、第１実施形態及び第２実施形態では、カメラ４０の電源釦が押下されたときに、カメラ４０の使用可否を判定するための最低限の構成部分のみ起動させる例を示したが、全ての構成部分を起動させてもよい。
【０１１０】
また、第１実施形態及び第２実施形態では、通信部２８及び通信部４８は、ＵＳＢインターフェースにより構成される例を示したが、これに限らない。例えば、ＬＡＮ（Local Area Network）モジュール、無線ＬＡＮモジュールなどにより構成されてもよい。
【０１１１】
また、第１実施形態及び第２実施形態では、画像表示装置２０を例に挙げて説明したが、これに限らない。例えば、デジタルフォトフレームにも本発明を同様に適用することができる。また、カメラ４０を例に挙げて説明したが、撮像機能を備える携帯電話機等の携帯型端末機器にも本発明を同様に適用することができる。
【符号の説明】
【０１１２】
１０…カメラシステム、２０…画像表示装置、２２…撮像素子、３０…制御部、３５…顔検出部、３６…使用者特定部、４０…カメラ、４２…撮像素子、５２…制御部、５７…顔検出部、５８…使用許可判定部
【図１】
0005477173.tif 000002
【図２】
0005477173.tif 000003
【図３】
0005477173.tif 000004
【図４】
0005477173.tif 000005